(57)【要約】【課題】有底筒形状の容器を、収納する物や用途に応じてその形状を変化させることのできる実用性とデザイン性に優れる容器を提供する。【解決手段】筒壁１１の底面に平坦状の底壁１２を設けた有底筒形状の容器本体１０と、その容器本体１０の上端開口部に着脱自在に液密に組付き、形状、模様、色彩またはそれらの組合わせによってデザインを施した上広テーパー形状の装飾体２０とで構成する。  また、装飾体２０を、少なくとも、花模様の形状によってデザインを施して形成する。【選択図】        図１
0003111989.tif 000002
【実用新案登録請求の範囲】
【請求項１】
筒壁（１１）の底面に平坦な底壁（１２）を設けた有底上広テーパー筒形状の容器本体（１０）と、前記容器本体の上端開口部に着脱自在に液密に組付き，形状，模様，色彩またはそれらの組合わせによってデザインを施した上広テーパー環状の装飾体（２０）とからなるデザイン容器。
【請求項２】
筒壁（１１）の底面に平坦状の底壁（１２）を設けた有底上広テーパー筒形状の容器本体（１０）と、前記容器本体の上端開口部に着脱自在に液密に組付き，少なくとも，花模様の形状によってデザインを施した上広テーパー環状の装飾体（２０）とからなるデザイン容器。
【考案の詳細な説明】
【技術分野】
【０００１】
本考案は、実用性とデザイン性に優れる容器に関するものである。
【背景技術】
【０００２】
食品、雑貨、あるいは植物等、あらゆる物を収納するために、各種の容器が日常的に広く使用されている。これらの容器は、筒体の底面に底壁を設けた、いわゆる有底筒形状を成し、その形状は一定であり、不変である。
【考案の開示】
【考案が解決しようとする課題】
【０００３】
こうした従来の容器は、物を収納するための機能は有するものの、その形状が一定で不変であるため面白味に欠け、また、収納する物に応じて多数種の容器を数多く揃える必要があり、実用上、改善されるべき余地がある。
【０００４】
また、例えば、同じ飲料を収納する容器の場合でも、その開口部に口を当てて飲む場合には、単純な有底筒形状のものが好ましいが、ストローで飲む場合には、単純な有底筒形状ではなく、むしろ形状等に変化があってデザイン性に富むものの方が楽しめ、また、その飲料をより美味しく感じることができる。
【０００５】
本考案はこうした問題に鑑み創案されたもので、有底筒形状の容器を、収納する物や用途に応じてその形状を変化させることのできる実用性とデザイン性に優れる容器を提供することを課題とする。
【課題を解決するための手段】
【０００６】
図１乃至図５を参照して説明する。請求項１に記載のデザイン容器１は、筒壁１１の底面に平坦な底壁１２を設けた有底上広テーパー筒形状の容器本体１０と、前記容器本体１０の上端開口部に着脱自在に液密に組付き、形状、模様、色彩またはそれらの組合わせによってデザインを施した上広テーパー環状の装飾体２０とからなるものである。
【０００７】
請求項２に記載のデザイン容器１は、筒壁１１の底面に平坦状の底壁１２を設けた有底上広テーパー筒形状の容器本体１０と、前記容器本体１０の上端開口部に着脱自在に液密に組付き、少なくとも、花模様の形状によってデザインを施した上広テーパー環状の装飾体２０とからなる。
【考案の効果】
【０００８】
請求項１に記載のデザイン容器１は、有底筒形状の容器本体１０と、その容器本体１０の上端開口部に着脱自在に液密に組付き、形状、模様、色彩またはそれらの組合わせによってデザインを施した環状の装飾体２０とで構成したので、収納物や用途に応じて、容器本体１０に装飾体２０を組付け、また取外すことができる。
【０００９】
従って、例えば、一つの容器本体１０に装飾体２０を組付けて使用し、また取外して使用するといった二通りの使用方法を実施することができる。これにより、使用する容器を、本来必要とする数より少なく揃えておけば良く、きわめて実用的である。また、一つの装飾体２０を、あらゆる大きさや形状の容器本体１０に組付けることによって、他種類の容器を形成することができるので、これによっても実用性に富む。
【００１０】
また、有底筒形状の容器本体１０に、デザインを施した装飾体２０を組付けることによって、容器のデザイン性を高めることができる。
【００１１】
請求項２に記載のデザイン容器１は、請求項１に記載の考案と同様に、実用性とデザイン性に富む。また、このデザイン容器１は、装飾体２０に花模様の形状によってデザインを施したので、その形状がきわめて美麗であり、例えば、食品を収納する容器として使用すれば、当該食品を美味しく感じさせることができ、また、鉢として使用すれば植物をより美しく視覚させることができる。
【考案を実施するための最良の形態】
【００１２】
本考案に係るデザイン容器１の実施形態を、図１乃至図３に示す。このデザイン容器１は、プラスチック製の容器本体１０と装飾体２０とで構成される。容器本体１０は、上広テーパー筒状の筒壁１１の底面に平坦な底壁１２を設けた有底筒形状である。また、装飾体２０は、容器本体１０の上端開口部に着脱自在に液密に嵌合組付きするもので、花模様の形状によってデザインを施した上広テーパー環状である。
【００１３】
容器本体１０と装飾体２０との嵌合組付けは、容器本体１０の上端部外周面の全体にわたって形成した周突条１３を、装飾体２０の下端部内周面の全体にわたって形成した周溝２１に嵌入することによって行っている。
【００１４】
この装飾体２０は、当該容器本体１０から取外して、図４および図５に示すように、他の形状の容器本体１０に嵌合組付けすることができる。このように、一つの装飾体２０を複数の形状の異なる容器本体１０に自在に嵌合組付けすることができるので、必要に応じて他種類の容器を容易に形成することができる。従って、きわめて実用性に富む。
【００１５】
また、有底筒形状の容器本体１０に、デザインを施した装飾体２０を液密に嵌合組付けするので、容器のデザイン性を高めることができる。従って、その容器を飲料用のものとして使用した場合には、その飲料を美味しく感じさせることができ、また、植物用の鉢として使用した場合には、その植物をより一層美しく見せることができる。
【００１６】
なお、本考案に係るデザイン容器１の装飾体２０は、その形状を花模様に形成することに限定されず、例えば、その形状を樹木や葉、あるいは雲など、あらゆる形状に設定することができる。また、形状のみでなく、模様や色彩のみによって、あるいは形状、模様、色彩を適宜組合わせることによって所望のデザイン性を確保することができる。
【００１７】
また、容器本体１０および装飾体２０の形状も円錐筒形状に限定されるものではなく、四角筒形状など、あらゆる形状に設定することができる。また、その用途も、飲料、食品、植物、雑貨品など、あらゆる物を収納するために広く使用することができる。
【００１８】
さらに、容器本体１０と装飾体２０の組付けも、周突条１３と周溝２１の嵌合組付けに限定されるものではなく、例えば、容器本体１０の上端開口部に周設したフランジ部に複数の孔部を形成すると共に、装飾体２０の周端部下面から複数の突起を垂下設し、その突起を孔部に嵌入することによって両者を組付けることができる。また、その他、既存の組付け手段によって、容器本体１０と装飾体２０を組付けることができる。
【図面の簡単な説明】
【００１９】
【図１】本考案に係るデザイン容器の実施形態を示す斜視図である。
【図２】図１に示すデザイン容器において、装飾体を容器本体から外した状態を示す正面図である。
【図３】図１に示すデザイン容器において、容器本体と装飾体の組付け手段を示す要部拡大断面図である。
【図４】本考案に係るデザイン容器の他の実施形態を示す斜視図である。
【図５】本考案に係るデザイン容器のさらに他の実施形態を示す斜視図である。
【符号の説明】
【００２０】
１        デザイン容器
１０      容器本体
１１      筒壁
１２      底壁
１３      周突条
２０      装飾体
２１      周溝
【図１】
0003111989.tif 000003
【図２】
0003111989.tif 000004
【図３】
0003111989.tif 000005
【図４】
0003111989.tif 000006
【図５】
0003111989.tif 000007